(57)【特許請求の範囲】
【請求項１】
泡吐出器の押下げヘッドに装着され、該押下げヘッドの吐出口から溢れる残留内容液を受容する受け部材であって、
前記吐出口の直下に設けられ該吐出口から溢れた残留内容液を伝わらせるリブと、該リブを伝った残留内容液を受け入れる液受け部とを備え、
前記泡吐出器は、前記押下げヘッドから突出するノズルの先端に前記吐出口を有するものであって、
前記リブは、前記ノズルの外周壁に保持される嵌合壁を備える泡吐出器用受け部材。
【請求項２】
前記リブは、前記吐出口から下方に向かうにつれて前記押下げヘッドの中心軸線に近づく向きに傾く傾斜壁を有し、
前記液受け部は、前記傾斜壁の下端よりも外側に延在する底壁と、該底壁から上方へ向けて延在する周壁とを備える請求項１に記載の泡吐出器用受け部材。
【請求項３】
前記泡吐出器は、容器の口部に該泡吐出器を固定保持するベースキャップを有するものであって、
前記受け部材は、前記液受け部に連結するとともに該液受け部と前記ベースキャップとの間に介在して前記押下げヘッドの降下を阻止するストッパーを備える請求項１又は２に記載の泡吐出器用受け部材。
【請求項４】
前記ストッパーは、前記液受け部に対してヒンジを介して連結し前記押下げヘッドの中心軸線に向かって揺動可能な少なくとも一つのストッパー部分を備える請求項３に記載の泡吐出器用受け部材。
【請求項５】
前記ストッパーは、前記液受け部に対して該ストッパーを破断可能に連結させる弱化部を備える請求項３に記載の泡吐出器用受け部材。
【発明の詳細な説明】
【技術分野】
【０００１】
本発明は、容器内の内容液を泡状にして吐出させる泡吐出器に対してその押下げヘッドに装着されるものであって、押下げヘッドの吐出口から溢れる残留内容液を受容する受け部材に関する。
【背景技術】
【０００２】
シャンプーやボディソープ、ハンドソープの他、薬液等を充填した容器では、内容液の泡立て動作を省略して簡便な使用を図る観点から、容器内の内容液を直接泡状にして吐出することができる泡吐出器を装備したものが多用されている。かかる泡吐出器は、押下げヘッドへの押圧、解除を繰り返すことによってポンプを駆動させ、容器から汲み上げた内容液をメッシュ等で発泡させて泡状にしたうえで押下げヘッドの吐出口から吐出することができる（例えば特許文献１参照）。
【先行技術文献】
【特許文献】
【０００３】
【特許文献１】特開２０１２−２０６７６０号公報
【発明の概要】
【発明が解決しようとする課題】
【０００４】
ところで、吐出口の周辺やその内側に残った残留内容液は、その性状によっては時間が経つと泡が消えて滴下する（液だれ）ことがある。このため、滴下した残留内容液によって床等を汚してしまうことがあった。
【０００５】
本発明は、このような問題点を解決することを課題とするものであり、泡吐出器の押下げヘッドに装着することによって、押下げヘッドの吐出口から溢れる残留内容液を受容することができる、泡吐出器用受け部材を提供することを目的とする。
【課題を解決するための手段】
【０００６】
本発明は、泡吐出器の押下げヘッドに装着され、該押下げヘッドの吐出口から溢れる残留内容液を受容する受け部材であって、
前記吐出口の直下に設けられ該吐出口から溢れた残留内容液を伝わらせるリブと、該リブを伝った残留内容液を受け入れる液受け部とを備え、
前記泡吐出器は、前記押下げヘッドから突出するノズルの先端に前記吐出口を有するものであって、
前記リブは、前記ノズルの外周壁に保持される嵌合壁を備える泡吐出器用受け部材である。
【０００７】
前記リブは、前記吐出口から下方に向かうにつれて前記押下げヘッドの中心軸線に近づく向きに傾く傾斜壁を有し、
前記液受け部は、前記傾斜壁の下端よりも外側に延在する底壁と、該底壁から上方へ向けて延在する周壁とを備えることが好ましい。
【０００９】
前記泡吐出器は、容器の口部に該泡吐出器を固定保持するベースキャップを有するものであって、
前記受け部材は、前記液受け部に連結するとともに該液受け部と前記ベースキャップとの間に介在して前記押下げヘッドの降下を阻止するストッパーを備えることが好ましい。
【００１０】
前記ストッパーは、前記液受け部に対してヒンジを介して連結し前記押下げヘッドの中心軸線に向かって揺動可能な少なくとも一つのストッパー部分を備えることが好ましい。
【００１１】
前記ストッパーは、前記液受け部に対して該ストッパーを破断可能に連結させる弱化部を備えることが好ましい。
【発明の効果】
【００１２】
本発明の泡吐出器用受け部材は、吐出口の直下に設けたリブによって吐出口の周辺やその内側に残った残留内容液を伝わらせ、更にリブを伝った残留内容液を液受け部で受け入れるようにしている。このため、残留内容液で床等を汚してしまうことがない。
【００１３】
またリブは、吐出口から下方に向かうにつれて押下げヘッドの中心軸線に近づく向きに傾く傾斜壁を有するものとし、液受け部は、傾斜壁の下端よりも外側に向かって延在する底壁と、この底壁から上方へ向けて延在する周壁とを備えるものとする場合は、液受け部を押下げヘッドよりも内側に納めることができるので、使用時に邪魔になることがなく使い勝手に優れている。
【００１４】
泡吐出器が、押下げヘッドから突出するノズルの先端に吐出口を有するものである場合は、ノズルの外周壁に保持される嵌合壁をリブに設けることによって、リブの位置を固定することができるので、吐出口から溢れた残留内容液を確実に受け部材に受容することができる。
【００１５】
泡吐出器が、容器の口部にこの泡吐出器を固定保持させるベースキャップを有するものである場合は、受け部材に、液受け部とベースキャップとの間に介在して押下げヘッドの降下を阻止するストッパーを連結させることによって、ポンプを不用意に作動させてしまうことがない。また、この場合であってもパーツ数は変わらないので、コストの上昇を抑えることができる。
【図面の簡単な説明】
【００１６】
【図１】本発明に従う受け部材の一実施形態を示す、（ａ）は平面図であり、（ｂ）は正面図であり、（ｃ）は（ａ）に示すＡ−Ａに沿う断面図であり、（ｄ）は（ａ）に示すＢ−Ｂに沿う断面図である。
【図２】図１の受け部材を装着する泡吐出器を示す、（ａ）は平面図であり、（ｂ）は正面図であり、（ｃ）は側面図である。
【図３】図１の受け部材を図２の泡吐出器に装着した状態を示す、（ａ）は平面図であり、（ｂ）は正面図であり、（ｃ）は側面図である。
【図４】図３に示す状態から第一ストッパー部分及び第二ストッパー部分を揺動させてストッパーを解除した状態を示す、（ａ）は平面図であり、（ｂ）は正面図であり、（ｃ）は側面図である。
【図５】本発明に従う受け部材の他の実施形態を示す、（ａ）は平面図であり、（ｂ）は（ａ）に示すＣ−Ｃに沿う断面図である。
【図６】図５の受け部材を図２の泡吐出器に装着した状態を示す、（ａ）は平面図であり、（ｂ）は正面図であり、（ｃ）は側面図である。
【図７】図６に示す状態から弱化部を破断させてストッパーを取り外した状態を示す、（ａ）は平面図（受け部材のみを示す）であり、（ｂ）は側面図である。
【発明を実施するための形態】
【００１７】
以下、図面を参照して、本発明に従う受け部材の一実施形態について説明する。なお、本明細書、特許請求の範囲、要約書における「上」、「下」の関係は、正立姿勢の泡吐出器に対して受け部材を装着した状態（図３（ｂ）、（ｃ）に示す状態）での位置関係をいう。また「前」は正立姿勢の泡吐出器において吐出口が位置する側（図３（ｃ）の左側）であり、「後」はその反対側（図３（ｃ）の右側）である。
【００１８】
図１において、符号１は本発明に従う受け部材の一実施形態を示す。本実施形態の受け部材１は、図２に示す泡吐出器１０に装着して使用されるものである。
【００１９】
まず泡吐出器１０について説明する。泡吐出器１０は、図示を省略する容器の口部に挿入されるポンプ１１と、ポンプ１１を容器の口部に吊下げた状態で固定保持するベースキャップ１２と、ベースキャップ１２の上方に設けられる円筒壁１２ａの内側に設けられ、ポンプ１１につながるステム１３（図２（ｂ）参照）と、円筒壁１２ａよりも大径になる筒状壁１４ａ及び有頂筒状の天壁１４ｂを有し、ステム１３に連結する押下げヘッド１４と、押下げヘッド１４に一体に連結するとともに天壁１４ｂから水平方向外側に向けて突出するノズル１５と、ノズル１５の先端に設けられた吐出口１６とを備えている。ここで押下げヘッド１４は、ステム１３とともに押下げヘッド１４の中心軸線Ｏに沿って上下動できるようになっていて、押下げヘッド１４への押圧、解除を繰り返すことによって、ポンプ１１を駆動させることができる。また図示は省略するが、ステム１３には、ポンプ１１の駆動によって汲み上げられた内容液を発泡させる発泡部材が設けられ、また押下げヘッド１４とノズル１５の内部には、発泡した泡状の内容液を吐出口１６へ送給する内部通路が設けられている。
【００２０】
次に、受け部材１の構成について図１を参照しながら詳細に説明する。受け部材１は、その前側において、環状をなすとともにノズル１５の外周壁に保持される嵌合壁２を備えている。嵌合壁２の後側には、ノズル１５を嵌合壁２に挿入する際に案内となる傾斜面２ａが設けられている。
【００２１】
嵌合壁２の下方には、板状のリブ３が設けられている。図１（ｃ）に示すようにリブ３は、下方に向かうにつれて押下げヘッド１４の中心軸線Ｏに近づく向きに傾く傾斜壁３ａを有している。本実施形態の傾斜壁３ａは、水平方向に対して約３０度の角度で傾斜している。
【００２２】
リブ３の下方には、液受け部４が設けられている。図１（ｃ）に示すように液受け部４は、傾斜壁３ａの下端３ｂよりも外側（本実施形態では前側）に延在する底壁４ａと、底壁４ａの縁部において、底壁４ａを取り囲んで上方へ向けて延在する周壁４ｂとを備えている。なお、液受け部４の内側に形成される収容空間の大きさは、本実施形態に限定されるものではなく、受容する残留内容液の量等に応じて適宜設定することができる。また図１（ａ）に示すように液受け部４の後側には、押下げヘッド１４の筒状壁１４ａに嵌まり込む平面視Ｃ字状の本体部４ｃが設けられている。
【００２３】
本体部４ｃは、図１（ａ）に示すように前後方向に直交する側において、一対の連結壁４ｄを有している。連結壁４ｄの中間部分にはＶ字状の薄肉部が設けられており、連結壁４ｄはこの薄肉部によって屈曲可能となっている。以下、この薄肉部を第一ヒンジ４ｅ、第二ヒンジ４ｆと称する。
【００２４】
また連結壁４ｄの外縁には、本実施形態ではともに半円筒状になる第一ストッパー部分４ｇと第二ストッパー部分４ｈとが設けられている。なお、後述するように第一ストッパー部分４ｇ及び第二ストッパー部分４ｈは、押下げヘッド１４の降下を阻止するストッパーＳ１として機能するものである。そして、第一ストッパー部分４ｇには、図１（ａ）に示すように前後方向に延在する突起４ｉが設けられていて、第二ストッパー部分４ｈには、突起４ｉに係合可能な形状となるフック４ｊが設けられている。
【００２５】
更に、図１（ｂ）に示すように連結壁４ｄと第一ストッパー部分４ｇ及び第二ストッパー部分４ｈとが連結する部分には、上方に切り欠きを有するストッパーリブ４ｋが設けられている。
【００２６】
このような構成になる受け部材１は、図１に示すように第一ヒンジ４ｅ及び第二ヒンジ４ｆを伸ばした状態のまま、図３に示すように、嵌合壁２をノズル１５に挿入させつつ本体部４ｃを筒状壁１４ａに嵌め込み、更に、第一ヒンジ４ｅ及び第二ヒンジ４ｆを屈曲させることによって第一ストッパー部分４ｇ及び第二ストッパー部分４ｈを中心軸線Ｏに向かって揺動させて、フック４ｊを突起４ｉに係合させる。この状態において、第一ストッパー部分４ｇ及び第二ストッパー部分４ｈは、図３（ｂ）、（ｃ）に示すように液受け部４の本体部４ｃとベースキャップ１２との間に介在して押下げヘッド１４の降下を阻止するストッパーＳ１として機能する。従って、図３に示す状態にしておくことで、内容液の不用意な吐出を防止することができる。
【００２７】
一方、内容液を吐出する場合には、図４に示すように第一ストッパー部分４ｇ及び第二ストッパー部分４ｈを中心軸線Ｏから離れる向きに揺動させる。そして、連結壁４ｄが略水平状態になった時、ストッパーリブ４ｋが押下げヘッド１４の天壁１４ｂに係合するため、第一ストッパー部分４ｇ及び第二ストッパー部分４ｈを開いた状態で保持することができる。
【００２８】
押下げヘッド１４への押圧、解除を繰り返すことによって内容液を吐出させた後、吐出口１６の周辺やその内側に残った残留内容液は、やがて泡が消えても、図４（ｃ）において矢印で示すように、リブ３の傾斜壁３ａを伝って液受け部４に受容される。このため、吐出口１６から溢れた残留内容液で床等を汚してしまうことがない。
【００２９】
次に、本発明に従う受け部材の他の実施形態について、図５〜図７を参照しながら説明する。なお、図６〜図７に示す泡吐出器１０は前述のものと同一であるため、同一の符号を付して詳細な説明は省略する。
【００３０】
図５において、符号２１は本発明に従う受け部材の他の実施形態を示す。受け部材２１は、前述の受け部材１と同様の構成になる嵌合壁２２、傾斜面２２ａ、リブ２３、傾斜壁２３ａを有している。一方、液受け部２４は、図５（ｂ）に示すように底壁２４ａが傾斜壁２３ａの下端２３ｂよりも外側（本実施形態では前側）に延在し、周壁２４ｂが底壁２４ａを取り囲んで上方へ延在する点は前述の受け部材１と同様であるが、図５（ａ）と図１（ａ）とを比較して明らかなように、平面視での大きさが受け部材１よりも大きくなっている。また傾斜壁２３ａは、水平方向に対して約２０度の角度で傾斜している。なお、本体部２４ｃは、受け部材１と同様の構成である。
【００３１】
また受け部材２１は、受け部材１に設けた連結壁４ｄ、第一ヒンジ４ｅ、第二ヒンジ４ｆ、第一ストッパー部分４ｇ、第二ストッパー部分４ｈ等に代えて、図５（ａ）に示すように、平面視において本体部２４ｃよりも小径になるＣ字状のストッパーＳ２を備えている。ここでストッパーＳ２は、図５（ｂ）に示すように本体部２４ｃの下方に設けられており、本体部２４ｃに弱化部Ｗを介して連結している。本実施形態では図５（ａ）に示すように３つの弱化部Ｗを設けている。またストッパーＳ２の前方には、板状の把持部２５が設けられている。
【００３２】
このような構成になる受け部材２１は、図６に示すように嵌合壁２２をノズル１５に挿入させつつ本体部２４ｃを筒状壁１４ａに嵌め込み、またストッパーＳ２を円筒壁１２ａに嵌め込んで泡吐出器１０に装着する。この状態においてストッパーＳ２は、液受け部２４の本体部２４ｃとベースキャップ１２との間に介在するため、押下げヘッド１４の降下を阻止することができる。
【００３３】
一方、内容液を吐出する場合は、図７に示すようにストッパーＳ２の把持部２５を指で挟んで前方へ引っぱれば、弱化部Ｗが破断してストッパーＳ２を取り外すことができる。これによって押下げヘッド１４の降下が可能になるため、内容液を吐出させることができる。そして、吐出口１６の周辺やその内側に残った残留内容液は、前述の受け部材１と同様に、リブ２３の傾斜壁２３ａを伝って液受け部２４に受容されるため、床等を汚してしまうことがない。
【００３４】
本発明に従う受け部材は、前述の実施形態に限定されるものではなく、特許請求の範囲に従う範囲で種々の変更が可能である。例えば嵌合壁２、２２を設けることによってリブ３、２３を吐出口１６に対して位置決めすることができるが、リブ３、２３の厚みによっては、嵌合壁２、２２を設けなくても位置決めが可能である。また、前述の嵌合壁２、２２は環状であるが、例えば上部を省略したコ字状或いは側部を省略したＣ字状のものであってもよい。また、前述の嵌合壁２、２２の内縁部は直線状であるが、凹凸状になっていてもよい。更に前述の実施形態では、嵌合壁２、２２をリブ３、２３に設けることによって、リブ３、２３を吐出口１６に対して直接的に位置決めしているが、液受け部４、２４に押下げヘッド１４と嵌合する部分を設ける（例えば周壁４ｂ、２４ｂや本体部４ｃ、２４ｃに天壁１４ｂの外周壁に嵌合する壁等を設ける）ことによって、リブ３、２３を間接的に位置決めするようにしてもよい。そして、このような嵌合壁等は複数箇所に設けてもよい。
【００３５】
また、リブ３、２３は、前述の実施形態のように、上下方向に同一の厚みとしているが、下方に向かって幅広に、或いは幅狭にしてもよい。また傾斜壁３ａ、２３ａは直線状に傾斜するものに限られず、外側に向けて凸となるように湾曲していても、或いは内側に向けて凹となるように湾曲していてもよい。また、傾斜壁３ａ、２３ａの角度は適宜変更することが可能であるが、あまり大きくなると（例えば６０度〜７０度になると）、傾斜壁３ａ、２３ａを伝う残留内容液が途中で落下することがあるため、６０度よりも小さな角度に設定することが好ましい。なお、傾斜壁３ａ、２３ａの角度が大きかったり傾斜壁の湾曲する度合いが急であったりして残留内容液が途中で落下するおそれがあっても、それに応じて液受け部４、２４を適宜大きくすればよい。
【００３６】
また、図１に示す受け部材１は、第一ストッパー部分４ｇと第二ストッパー部分４ｈの２つのストッパー部分を備えているが、何れか一つであってもよい。なお、ストッパー部分の形状は、本実施形態のように平面視で半円になるものに限られず適宜変更可能であるが、ストッパー部分を何れか一つにする場合は、半円よりも大きくすることが好ましい。また、ストッパー部分を設けるに当たっては、金型構成や操作性を考慮して、本実施形態のように液受け部４を避けた位置に設けることが好ましい。また、図３に示すように揺動させた第一ストッパー部分４ｇと第二ストッパー部分４ｈを閉じた状態にするには、上述したフック４ｊと突起４ｉとを用いるのみならず、例えば第一ストッパー部分４ｇ及び第二ストッパー部分４ｈの何れか一方に突起を設け、他方にこの突起を嵌合させる穴を設けてもよい。
【符号の説明】
【００３７】
１、２１：受け部材
２、２２：嵌合壁
２ａ、２２ａ：傾斜面
３、２３：リブ
３ａ、２３ａ：傾斜壁
３ｂ、２３ｂ：傾斜壁の下端
４、２４：液受け部
４ａ、２４ａ：底壁
４ｂ、２４ｂ：周壁
４ｃ、２４ｃ：本体部
４ｄ：連結壁
４ｅ：第一ヒンジ
４ｆ：第二ヒンジ
４ｇ：第一ストッパー部分
４ｈ：第二ストッパー部分
４ｉ：突起
４ｊ：フック
４ｋ：ストッパーリブ
１０：泡吐出器
１１：ポンプ
１２：ベースキャップ
１２ａ：円筒壁
１３：ステム
１４：押下げヘッド
１４ａ：筒状壁
１４ｂ：天壁
１５：ノズル
１６：吐出口
２５：把持部
Ｏ：押下げヘッドの中心軸線
Ｓ１、Ｓ２：ストッパー
Ｗ：弱化部
【図１】
0006529860.tif 000002
【図２】
0006529860.tif 000003
【図３】
0006529860.tif 000004
【図４】
0006529860.tif 000005
【図５】
0006529860.tif 000006
【図６】
0006529860.tif 000007
【図７】
0006529860.tif 000008